(57)【要約】【課題】レコード盤の表面を手軽に、かつ、より十分に汚れを除去することが容易となるレコード盤クリーナを提供する。【解決手段】ベース部と、前記ベース部から下方へ複数の毛が伸びたブラシ部と、モーターを用いて前記ベース部を振動させるように駆動する駆動部と、を備え、使用者が手に持って前記ブラシ部をレコード盤表面へ当てることにより、前記レコード盤表面が掃除されるように形成されたレコード盤クリーナとする。【選択図】図１
2019003716.tif 000002
【特許請求の範囲】
【請求項１】
ベース部と、前記ベース部から下方へ複数の毛が伸びたブラシ部と、モーターを用いて前記ベース部を振動させるように駆動する駆動部と、を備え、
使用者が手に持って前記ブラシ部をレコード盤表面へ当てることにより、前記レコード盤表面が掃除されるように形成されたことを特徴とするレコード盤クリーナ。
【請求項２】
前記駆動部は、
前記ベース部の振動軌跡が水平面に含まれるように、前記ベース部を駆動することを特徴とする請求項１に記載のレコード盤クリーナ。
【請求項３】
前記駆動部は、
前記ベース部の振動軌跡が円または楕円形状となるように、前記ベース部を駆動することを特徴とする請求項２に記載のレコード盤クリーナ。
【請求項４】
電動サンダーに歯ブラシの頭部を固定して形成され、
前記ブラシ部は、前記歯ブラシのブラシ部分であることを特徴とする請求項１から請求項３の何れかに記載のレコード盤クリーナ。
【発明の詳細な説明】
【技術分野】
【０００１】
本発明は、レコード盤の掃除に用いられるレコード盤クリーナに関する。
【背景技術】
【０００２】
現在の音楽再生メディアとしてはＣＤ等のデジタルメディアが主流であるが、ＬＰレコードなどのアナログのレコード盤も、音楽愛好家の間で根強い人気がある。このようなレコード盤の表面には音溝が設けられており、この音溝の形状により音楽のアナログ信号が提供される。すなわち、再生機側のレコード針が回転するレコード盤の表面に接し、再生機が上記アナログ信号を読取って音楽を再生することになる。
【０００３】
上述した原理により音楽が再生されるため、レコード盤の表面に脂や埃等の汚れが付着しているとアナログ信号の読取りに支障が生じ、再生品質の劣化が問題となる。そこで高品質な音楽再生を維持するためには、レコード盤の表面に付着した汚れを適宜除去することが重要である。特許文献１には、超音波変換器を利用してレコード盤を洗浄することが可能な装置が開示されている。
【先行技術文献】
【特許文献】
【０００４】
【特許文献１】特表2016-517608号公報
【発明の概要】
【発明が解決しようとする課題】
【０００５】
しかし特許文献１に開示されたような高度な装置は、普通の音楽愛好家にとって容易に準備できるものとは言えず、また装置のサイズも大きくなり易いため、これを用いてレコード盤を手軽に掃除することは難しい。一方、一般的なブラシ等を用いてレコード盤を掃除したり、クロス等でレコード盤を拭いたりする程度では、十分に汚れを除去することが難しいという問題がある。
【０００６】
本発明は上述した問題点に鑑み、レコード盤の表面を手軽に、かつ、より十分に汚れを除去することが容易となるレコード盤クリーナの提供を目的とする。
【課題を解決するための手段】
【０００７】
本発明に係るレコード盤クリーナは、ベース部と、前記ベース部から下方へ複数の毛が伸びたブラシ部と、モーターを用いて前記ベース部を振動させるように駆動する駆動部と、を備え、使用者が手に持って前記ブラシ部をレコード盤表面へ当てることにより、前記レコード盤表面が掃除されるように形成された構成とする。本構成によれば、レコード盤の表面を手軽に、かつ、より十分に汚れを除去することが容易となる。
【０００８】
また上記構成としてより具体的には、前記駆動部は、前記ベース部の振動軌跡が水平面に含まれるように、前記ベース部を駆動する構成としてもよい。なお本願での「水平面」とは、上下方向（レコード盤クリーナとレコード盤が対向する方向）と直交する仮想平面のことである。また当該構成としてより具体的には、前記駆動部は、前記ベース部の振動軌跡が円または楕円形状となるように、前記ベース部を駆動する構成としてもよい。
【０００９】
また上記構成としてより具体的には、電動サンダーに歯ブラシの頭部を固定して形成され、前記ブラシ部は、前記歯ブラシのブラシ部分である構成としてもよい。本構成によれば、既存の電動サンダーおよび歯ブラシの頭部を利用して、レコード盤クリーナを容易に形成することが可能となる。
【発明の効果】
【００１０】
本発明に係るレコード盤クリーナによれば、レコード盤の表面を手軽に、かつ、より十分に汚れを除去することが容易となる。
【図面の簡単な説明】
【００１１】
【図１】本実施形態に係るレコード盤クリーナの概念的な構成図である。
【図２】当該レコード盤クリーナの使用形態に関する説明図である。
【図３】ブラシ部の振動軌跡に関する説明図である。
【図４】ブラシ部の毛先の状態に関する説明図である。
【図５】本実施形態に係るレコード盤クリーナの試作品の外観図である。
【発明を実施するための形態】
【００１２】
本発明の実施形態に係るレコード盤クリーナ１について、各図面を参照しながら以下に説明する。なお以下の説明における上下の方向は、図１に示すように、レコード盤クリーナ１とレコード盤Ｒが対向する方向である。
【００１３】
図１は、レコード盤クリーナ１の概念的な構成図である。本図に示すようにレコード盤クリーナ１は、電源部１１、制御部１２、および駆動部１３などの各機能部が、筐体１４の内部に設けられている。筐体部１４は、使用者が手で容易に持つことが出来る形状およびサイズに形成されている。筐体部１４の下側には、上下を厚み方向とする略薄板状のベース部１５が設けられており、ベース部１５の下側の面にはブラシ部１６が設けられている。ブラシ部１６の毛は下方へ伸びており、レコード盤Ｒの表面へ当てることが可能である。
【００１４】
電源部１１は、レコード盤クリーナ１の動作に必要な動作電力を確保する機能部である。電源部１１は、動作電力を確保可能である限り具体的形態は特に限定されず、例えば、商用電源を取り入れるためのコンセントプラグを有する形態であっても良く、電池の装着スペースを有する形態であっても良い。また電源部１１は、商用電源と電池の両方を電源として利用できる形態であっても良い。
【００１５】
制御部１２は、レコード盤クリーナ１が適切に動作するように駆動部１３等を制御する機能部である。制御部１２は、電源のＯＮ／ＯＦＦの切替操作を受付けるスイッチを有しており、使用者による電源ＯＮの操作に応じて、電源部１１から駆動部１３等の各部へ動作電力が供給されるようにする。
【００１６】
駆動部１３は、電源部１１からの供給電力を用いて動作するモーターを有しており、当該モーターを動作させることによってベース部１５を振動させるように駆動する。このようにレコード盤クリーナ１では、モーターを用いることにより、ベース部１５を非常に高速かつ細かく振動させるように駆動することが可能である。
【００１７】
ベース部１５は、上側の面が駆動部１３に連接しており、駆動部１３が動作することによって振動する。駆動部１３は、上下方向と直交する向きにベース部１５を駆動するよう構成されているため、ベース部１５の振動軌跡は、上下方向と直交する仮想平面（水平面）に含まれる。なおベース部１５の振動軌跡は、ベース部１５の任意の一点に着目した場合において、振動の際にその点が繰返し通る経路と見ることも出来る。
【００１８】
ブラシ部１６は、ベース部１５の下側の面から下方へ複数の毛が伸びたブラシ状の部分である。ブラシ部１６の毛先は、レコード盤Ｒの表面へほぼ均一に当てることが出来るように、先端の上下方向位置が概ね揃っている。ブラシ部１６の毛のサイズや硬さ等の特性は、一般的な歯ブラシの毛と同等程度であることが好ましい。ベース部１５が振動することにより、ブラシ部１６もこれに追従するように振動する。
【００１９】
図２は、レコード盤クリーナ１を用いてレコード盤Ｒを掃除している様子を、上方から見た場合の概略図である。本図においてレコード盤Ｒは、不図示の回転装置（レコードプレイヤー等であっても良い）にセットされ、回転した状態となっている。この状況下において、使用者は、手に持ったレコード盤クリーナ１の下側（ブラシ部１６）をレコード盤Ｒの表面に軽く押し当てている。
【００２０】
これにより、振動するブラシ部１６の毛先がレコード盤Ｒの表面の汚れを除去する。ブラシ部１６の振動は非常に高速かつ細かい動きであり、人が一般的なブラシ等を用いて掃除したりクロス等を用いて拭いたりする場合に比べて、レコード盤クリーナ１を用いれば、レコード盤Ｒの表面の汚れを効果的に除去することが可能である。なお、このように掃除を行う際には、レコード盤Ｒの表面を予め濡らしておき、傷が付かないようにしておく。レコード盤Ｒの表面を濡らすための液体としては、専用の洗浄液を使用するのが好ましいが、これに限られるものではなく、例えば普通の水を使用してもある程度の効果を得ることが可能である。
【００２１】
また、上記のとおり回転装置を用いてレコード盤Ｒを回転させておくことにより、使用者はレコード盤クリーナ１をレコード盤Ｒへ軽く押し当てておくだけで、レコード盤Ｒの全周を掃除することが可能である。但し、レコード盤Ｒを回転させずに掃除を行っても良く、この場合は、使用者が手に持ったレコード盤クリーナ１をレコード盤Ｒの周方向へ動かすことにより、レコード盤Ｒの全周を掃除することが出来る。
【００２２】
なお、振動によるベース部１５の移動方向は常に上下方向と直交し、ベース部１５の振動軌跡は水平面に含まれるようになっているが、この振動軌跡の形状の一例としては、図３に示すものが挙げられる。図３に示す振動軌跡は何れも上方視点（或いは下方視点）によるものであり、図３（Ａ）は線分形状の振動軌跡を、図３（Ｂ）は楕円形状の振動軌跡を、図３（Ｃ）は円形状の振動軌跡を、それぞれ表している。また図３の破線矢印は、ベース部１５の動きの方向を示している。
【００２３】
ここで図３（Ａ）に示すような線分形状の振動軌跡となる場合、ベース部１５は往復直線運動をすることになり、振動軌跡の両端（ａ１、ａ２）に対応するタイミングにおいてベース部１５の移動方向が逆転する。この際、レコード盤Ｒの表面に押し当てられたブラシ部１６において、毛先の撓み方向が反転することになる。例えば、ベース部１５の動く方向が図３（Ａ）に示す方向Ｄ１であるときには、図４の左側に示すように毛先は左方へ撓んでいるが、その動く方向が逆転して方向Ｄ２となったときには、図４の右側に示すように毛先は右方へ撓むことになる。
【００２４】
このように毛先の撓み方向が逆転する際には、当該毛先がレコード盤Ｒの表面を比較的強く押し付ける格好となり、この現象が繰り返されると、毛先やレコード盤Ｒが傷み易くなる虞がある。一方、図３（Ｂ）や図３（Ｃ）に示すような振動軌跡となる場合には、ベース部１５の移動方向が逆転せず、ブラシ部１６の毛先の撓み方向が反転することも極力抑えられる。この点を考慮して、ベース部１５の振動軌跡は円または楕円形状となるように（毛先の撓み方向が反転しない形状に）設定することが好ましい。
【００２５】
図５は、本実施形態に係るレコード盤クリーナの試作品の外観図（斜め下方から見た図）である。当該試作品は電動サンダー（型番：ＭＳ−３０、リョービ株式会社製）の可動パッド部の下側に、複数個の歯ブラシの頭部３を固定して作製されたものである。より具体的に説明すると、７個の歯ブラシの頭部３を並べて接着固定した薄板部材が用意され、この薄板部材が上記可動パッド部の下側の面にネジ止め固定されている。
【００２６】
当該試作品を用いて図２に示すようにしてレコード盤の掃除を行ったところ、そのレコード盤を再生して得られる音質が大きく向上しており、この結果から、レコード盤表面の汚れが非常に良く落ちていることが確認された。なお今回は試作品として、電動サンダーに歯ブラシの頭部を固定した構成の装置を作製したが、このような構成の装置を、実使用あるいは商業用に用いるレコード盤クリーナとして利用することも可能である。
【００２７】
以上に説明したとおり、本実施形態に係るレコード盤クリーナ１は、ベース部１５と、ベース部１５から下方へ複数の毛が伸びたブラシ部１６と、モーターを用いてベース部１５を振動させるように駆動する駆動部１３と、を備え、使用者が手に持ってブラシ部１６をレコード盤表面へ当てることにより、当該レコード盤表面が掃除されるように形成されている。そのためレコード盤クリーナ１によれば、レコード盤の表面を手軽に、かつ、より十分に汚れを除去することが容易である。
【００２８】
例えば特許文献１に開示された高度な装置に比べると、本実施形態に係るレコード盤クリーナは簡易な構成で安価に入手し易く、小型化もされ易いため、普通の音楽愛好家等であってもレコード盤を手軽に掃除することが可能となる。一方、一般的なブラシ等を用いてレコード盤を掃除したり、クロス等でレコード盤を拭いたりする場合に比べると、本実施形態に係るレコード盤クリーナを用いてレコード盤を掃除する場合は、より十分に汚れを落とすことが可能となる。
【００２９】
また駆動部１３は、ベース部１５の振動軌跡が水平面に含まれるようにベース部１５を駆動する。そのため、水平方向に見て毛先の揃ったブラシ部１６がレコード盤Ｒにほぼ均一に当たるようにしておき、ブラシ部１６を水平方向へ振動させるようにして、レコード盤Ｒの汚れを効率良く落とすことが可能である。なお、ベース部１５の振動軌跡が円または楕円形状となるようにすれば、既に説明したとおり、毛先の撓み方向の逆転を極力抑え、毛先やレコード盤の傷みを生じ難くすることが可能である。
【００３０】
本発明の構成は、上記実施形態のほか、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００３１】
本発明は、レコード盤を掃除するための装置に利用可能である。
【符号の説明】
【００３２】
１          レコード盤クリーナ
１１        筐体部
１１ａ      電源部
１１ｂ      制御部
１１ｃ      駆動部
１２        可動部
１２ａ      ベース部
１２ｂ      ブラシ部
２          電動サンダ
３          歯ブラシの頭部
Ｒ          レコード盤
【図１】
2019003716.tif 000003
【図２】
2019003716.tif 000004
【図３】
2019003716.tif 000005
【図４】
2019003716.tif 000006
【図５】
2019003716.tif 000007